(57)【要約】【課題】被縫製物に装飾性を付与する縫い目を穴かがり縫い目とともに形成することができる穴かがりミシンを実現する。【解決手段】穴かがりミシン１０は、被縫製物に形成する縫い目形状に関する複数の縫い目データとして穴かがり縫い目データと刺繍縫い目データとをＲＡＭ１０３やＥＥＰＲＯＭ１０４に記憶するとともに、その穴かがり縫い目データに対して刺繍縫い目データを対応つけ、メス機構７０が形成したボタン穴の周囲に穴かがり縫い目データに基づく穴かがり縫い目を形成する際に、その穴かがり縫い目の近傍に刺繍縫い目データに基づく刺繍縫い目を形成し、穴かがり縫い目の周囲に装飾性を付与する刺繍縫い目を配置するようにした。【選択図】図５
2006326019.tif 000002
【特許請求の範囲】
【請求項１】
縫い針の上下駆動を行う針駆動手段と、
被縫製物を保持する布押さえ手段と、
前記縫い針と前記布押さえ手段とを相対的に移動させる移動手段と、
前記布押さえ手段に保持された被縫製物に対してメスによりボタン穴を形成する布切り手段と、
前記被縫製物に形成する縫い目の形状に関する縫い目データを複数記憶する縫い目データ記憶手段と、
前記縫い目データ記憶手段に記憶されている縫い目データにおける穴かがり縫い目データに基づき、前記ボタン穴の周囲に穴かがり縫い目を形成する縫製制御手段と、を備える穴かがりミシンにおいて、
前記縫い目データ記憶手段は、前記穴かがり縫い目とともに前記被縫製物に形成する刺繍に関する刺繍縫い目データを記憶し、前記縫製制御手段は、前記穴かがり縫い目の近傍に前記刺繍縫い目データに基づく刺繍縫い目を形成することを特徴とする穴かがりミシン。
【請求項２】
前記縫製制御手段は、一つの穴かがり縫い目に対し複数の刺繍縫い目を形成することを特徴とする請求項１に記載の穴かがりミシン。
【請求項３】
前記縫い目データ記憶手段に記憶されている前記穴かがり縫い目データと前記刺繍縫い目データとを関連付けるとともに、前記刺繍縫い目データに基づく刺繍縫い目のサイズを設定するサイズ設定手段を備えることを特徴とする請求項１又は２に記載の穴かがりミシン。
【請求項４】
前記縫い目データ記憶手段に記憶されている前記穴かがり縫い目データと前記刺繍縫い目データとを関連付けるとともに、前記穴かがり縫い目データに基づく穴かがり縫い目に対し、前記刺繍縫い目データに基づく刺繍縫い目の配置を設定する配置設定手段を備えることを特徴とする請求項１〜３のいずれか一項に記載の穴かがりミシン。
【請求項５】
外部機器により作成された刺繍縫い目データを入力する入力手段と、
前記入力手段に入力された前記刺繍縫い目データを前記縫い目データ記憶手段に記憶させる記憶制御手段と、を備えることを特徴とする請求項１〜４のいずれか一項に記載の穴かがりミシン。
【発明の詳細な説明】
【技術分野】
【０００１】
本発明は、穴かがりミシンに関する。
【背景技術】
【０００２】
従来、被縫製物に対してボタン穴を形成するとともに、その周囲に穴かがり縫い目を形成する穴かがりミシンが知られている。
穴かがり縫い目は、ボタン穴の左右両側に形成される平行部、ボタン穴の上部に形成される第一閂止め部、ボタン穴の下部に形成される第二閂止め部から構成されている。そして、第一閂止め部及び第二閂止め部の閂止め形状としては、例えば、角型、放射型、半月型等の種々の形状が存在し、これら閂止め形状が組み合わされてなる様々な形状の穴かがり縫い目を形成することができる穴かがりミシンが知られている（例えば、特許文献１参照。）。
また、電気的に動作を制御されて模様縫いなどを行うことができる家庭用ミシンなどにおいてもボタン穴かがり縫い目は縫われているが、その場合、ボタン穴を形成する布切りメス（布切り手段）を有さない上、アタッチメントを取り付けるなどしなくてはならず、また、単一のボタン穴かがり縫い目しか形成できず、連続して他の縫製を行ったりすることは一切できなかった（例えば、特許文献２参照。）。
【特許文献１】特開２００３−３２６０１５号公報
【特許文献２】特開２０００−１０２６８１号公報
【発明の開示】
【発明が解決しようとする課題】
【０００３】
しかしながら、上記特許文献１の場合、趣向性や装飾性に富んだ形状を有する穴かがり縫い目を形成することはできるが、ボタン穴にボタンが掛けられたことにより、その穴かがり縫い目はボタンにより隠されてしまうので、このような穴かがり縫い目により衣服に装飾性を付与することは困難であった。
【０００４】
また、穴かがり縫い目の近傍であってボタンによって隠されない位置に、刺繍などの装飾性を有する縫い目を形成する縫製を行うことはできるが、穴かがり縫い目の近傍に刺繍を施す際には、予め穴かがりミシンにおいて穴かがり縫い目が形成された被縫製物を刺繍ミシンにセットしたり、穴かがり縫い目近傍の所定の刺繍箇所に対して縫い針の位置合わせを行ったりしなければならず、その縫製作業は煩雑な作業となり、効率の悪いものであった。
【０００５】
本発明の目的は、被縫製物に装飾性を付与する縫い目を穴かがり縫い目とともに形成することができる穴かがりミシンを提供することである。
【課題を解決するための手段】
【０００６】
以上の課題を解決するため、請求項１記載の発明は、縫い針の上下駆動を行う針駆動手段と、被縫製物を保持する布押さえ手段と、縫い針と布押さえ手段とを相対的に移動させる移動手段と、布押さえ手段に保持された被縫製物に対してメスによりボタン穴を形成する布切り手段と、被縫製物に形成する縫い目の形状に関する縫い目データを複数記憶する縫い目データ記憶手段と、縫い目データ記憶手段に記憶されている縫い目データにおける穴かがり縫い目データに基づき、ボタン穴の周囲に穴かがり縫い目を形成する縫製制御手段と、を備える穴かがりミシンにおいて、縫い目データ記憶手段は、穴かがり縫い目とともに被縫製物に形成する刺繍に関する刺繍縫い目データを記憶し、縫製制御手段は、穴かがり縫い目の近傍に刺繍縫い目データに基づく刺繍縫い目を形成することを特徴とする。
【０００７】
請求項１記載の発明によれば、穴かがりミシンは、被縫製物に形成する縫い目形状に関する複数の縫い目データを記憶する縫い目データ記憶手段に、その縫い目データとして穴かがり縫い目データと刺繍縫い目データとを記憶している。そして、穴かがりミシンは、布切り手段が形成するボタン穴の周囲に穴かがり縫い目データに基づく穴かがり縫い目を形成し、その穴かがり縫い目の近傍に刺繍縫い目データに基づく刺繍縫い目を形成することができる。
【０００８】
請求項２記載の発明は、請求項１に記載の穴かがりミシンにおいて、縫製制御手段は、一つの穴かがり縫い目に対し複数の刺繍縫い目を形成することを特徴とする。
【０００９】
請求項２記載の発明によれば、請求項１に記載の発明と同様の作用を奏するとともに、穴かがりミシンは、一つの穴かがり縫い目に対し複数の刺繍縫い目を形成することができる。
【００１０】
請求項３記載の発明は、請求項１又は２に記載の穴かがりミシンにおいて、縫い目データ記憶手段に記憶されている穴かがり縫い目データと刺繍縫い目データとを関連付けるとともに、刺繍縫い目データに基づく刺繍縫い目のサイズを設定するサイズ設定手段を備えることを特徴とする。
【００１１】
請求項３記載の発明によれば、請求項１又は２に記載の発明と同様の作用を奏するとともに、穴かがりミシンは、穴かがり縫い目データと刺繍縫い目データとを関連付けるとともに、刺繍縫い目データに基づく刺繍縫い目のサイズを設定することができる。
【００１２】
請求項４記載の発明は、請求項１〜３のいずれか一項に記載の穴かがりミシンにおいて、縫い目データ記憶手段に記憶されている穴かがり縫い目データと刺繍縫い目データとを関連付けるとともに、穴かがり縫い目データに基づく穴かがり縫い目に対し、刺繍縫い目データに基づく刺繍縫い目の配置を設定する配置設定手段を備えることを特徴とする。
【００１３】
請求項４記載の発明によれば、請求項１〜３のいずれか一項に記載の発明と同様の作用を奏するとともに、穴かがりミシンは、穴かがり縫い目データと刺繍縫い目データとを関連付けるとともに、穴かがり縫い目データに基づく穴かがり縫い目に対して刺繍縫い目データに基づく刺繍縫い目の配置を設定することができる。
【００１４】
請求項５記載の発明は、請求項１〜４のいずれか一項に記載の穴かがりミシンにおいて、外部機器により作成された刺繍縫い目データを入力する入力手段と、入力手段に入力された刺繍縫い目データを縫い目データ記憶手段に記憶させる記憶制御手段と、を備えることを特徴とする。
【００１５】
請求項５記載の発明によれば、請求項１〜４のいずれか一項に記載の発明と同様の作用を奏するとともに、穴かがりミシンは、外部機器により作成された刺繍縫い目データを、入力手段を介して縫い目データ記憶手段に記憶させることができる。
【発明の効果】
【００１６】
請求項１記載の発明によれば、穴かがりミシンは、被縫製物に形成する縫い目形状に関する複数の縫い目データを記憶する縫い目データ記憶手段に、その縫い目データとして穴かがり縫い目データと刺繍縫い目データとを記憶している。そして、穴かがりミシンは、布切り手段が形成するボタン穴の周囲に穴かがり縫い目データに基づく穴かがり縫い目を形成し、その穴かがり縫い目の近傍に、装飾性を付与するように刺繍縫い目データに基づく刺繍縫い目を形成することができる。
つまり、穴かがりミシンは、被縫製物に装飾性を付与する刺繍縫い目を穴かがり縫い目とともに形成することができる。
【００１７】
特に、穴かがりミシンは、ボタン穴の周囲に穴かがり縫い目を形成するとともに、その穴かがり縫い目の近傍に刺繍縫い目を形成するように、穴かがり縫い目の形成と刺繍縫い目の形成を一連の縫製動作として行うことができるので、刺繍縫い目を形成するために、穴かがりミシンに保持されている被縫製物の位置を穴かがり縫い目の形成後に調整したり、穴かがり縫い目を形成した被縫製物を、別体のミシンである刺繍ミシンにセットしたりする必要がない。
従って、穴かがりミシンによって、穴かがり縫い目と刺繍縫い目を容易に形成することができる。
【００１８】
そして、穴かがりミシンにより、穴かがり縫い目の近傍に装飾性を有する刺繍縫い目を形成することによって、ボタン穴にボタンが掛けられた状態でも、そのボタンに隠されることなく刺繍縫い目を視認することが可能になるので、その刺繍縫い目によって被縫製物に装飾性を付与することができ、被縫製物におけるデザイン性のバリエーションを広げることができるようになる。
【００１９】
請求項２記載の発明によれば、穴かがりミシンは、一つの穴かがり縫い目に対し複数の刺繍縫い目を形成することができる。
よって、穴かがりミシンは、一つの穴かがり縫い目の近傍に複数の刺繍縫い目を形成することによって、穴かがり縫い目の周囲に、より効果的に装飾性を付与することができる。そして、被縫製物におけるデザイン性のバリエーションをさらに広げることができる。
【００２０】
請求項３記載の発明によれば、穴かがりミシンは、穴かがり縫い目データと刺繍縫い目データとを関連付けるとともに、刺繍縫い目データに基づく刺繍縫い目のサイズを設定することができる。
よって、穴かがりミシンは、穴かがり縫い目に対する刺繍縫い目のサイズを大きくしたり小さくしたりすることができるので、穴かがり縫い目の周囲に形成する刺繍縫い目のバリエーションを増やすことができる。そして、被縫製物におけるデザイン性のバリエーションをさらに広げることができる。
【００２１】
請求項４記載の発明によれば、穴かがりミシンは、穴かがり縫い目データと刺繍縫い目データとを関連付けるとともに、穴かがり縫い目データに基づく穴かがり縫い目に対して刺繍縫い目データに基づく刺繍縫い目の配置を設定することができる。
よって、穴かがりミシンは、穴かがり縫い目に対する刺繍縫い目の配置を様々に変えることができるので、穴かがり縫い目の周囲に形成する刺繍縫い目のバリエーションを増やすことができる。そして、被縫製物におけるデザイン性のバリエーションをさらに広げることができる。
【００２２】
請求項５記載の発明によれば、穴かがりミシンは、外部機器により作成された刺繍縫い目データを、入力手段を介して縫い目データ記憶手段に記憶させることができる。
つまり、様々な新しい刺繍縫い目を外部機器により作成して、穴かがりミシンに入力して記憶させることにより、穴かがりミシンは所望する装飾に関する刺繍縫い目を穴かがり縫い目とともに被縫製物に形成することができる。
従って、穴かがりミシンは、穴かがり縫い目の周囲に形成する刺繍縫い目のバリエーションを無数に増やすことができる。そして、被縫製物におけるデザイン性のバリエーションをさらに広げることができる。
【発明を実施するための最良の形態】
【００２３】
以下、図面を参照して、本発明の実施形態たる穴かがりミシン１０について説明する。
図１は穴かがりミシン１０の外観斜視図であり、図２は穴かがりミシン１０の内部構造を示す概略斜視図である。
【００２４】
図１に示すように、穴かがりミシン１０は、外形が側面視にて略コ字状を呈するミシンフレーム２を備えている。このミシンフレーム２は、穴かがりミシン１０の上部をなし前後方向に延びるミシンアーム部２ａと、穴かがりミシン１０の下部をなし前後方向に延びるミシンベッド部２ｂと、ミシンアーム部２ａとミシンベッド部２ｂとを連結する縦胴部２ｃとを有している。
【００２５】
この穴かがりミシン１０は、図１、図２に示すように、縫い針１の上下駆動を行う針駆動手段３０と、被縫製物たる布地を押さえて保持する布押さえ手段４０と、縫い針１と布押さえ手段４０とを相対的に移動させる移動手段５０と、ミシンベッド部２ｂ内に設けられた釜機構６０と、布地にボタン穴を形成する布切り手段であるメス機構７０と、を備えている。
【００２６】
針駆動手段３０は、図２に示すように、ミシンアーム部２ａの内部において前後方向に沿った状態で回転可能に支持される上軸３１と、上軸３１の一端部に連結されるミシンモータ３２と、上軸３１の他端部に設けられるクランク機構３３と、ミシンアーム部２ａの先端部においてクランク機構３３により上下駆動力が伝達される針棒３４とを備えている。
針棒３４は、その下端部において縫い針１を交換可能に保持しており、また、針棒３４は後述する移動手段５０によりミシンアーム部２ａの内部において左右方向に揺動自在に支持されている。
そして、針駆動手段３０は、上記構成により、ミシンモータ３２の出力回転数と同じ周期で縫い針１の上下動駆動を行う。
【００２７】
布押さえ手段４０は、図２に示すように、ミシンベッド部２ｂの上面において前後方向に移動可能に載置された布保持板４１と、この布保持板４１の上方から布地を押さえて布保持板４１との間に布地を挟持する布押さえ枠４２と、布押さえ枠４２の上面に設けられた枠支持体４３と、布押さえ枠４２を昇降させることによって布地を保持する押さえ状態と解除状態とに切り替える押さえ上げソレノイド４４（図４参照）とを備えている。
【００２８】
布押さえ枠４２は、長方形状の枠体であり、布押さえ枠４２の内側は上下に貫通しており、当該枠の内側領域において穴かがり縫い目の縫製が行われる。即ち、縫い針１は布押さえ枠４２の内側において上下動を行う配置となっている。同様に、メス機構７０の後述するメス７１も布押さえ枠４２の内側において上下動を行う配置となっている。
また、布押さえ枠４２は、複数種の異なる大きさのものと交換することが可能である。つまり、より大きな布押さえ枠４２を使用することで、布地のセットし直しによる位置調節を不要とし、布押さえを行ったまま布押さえ枠４２の内側におけるより大きな貫通穴の広範囲に複数の穴かがり縫い目や装飾用の刺繍など縫い目の形成を行うことが可能となる。
また、布押さえ枠４２と布保持板４１とで布地を挟持するので、布保持板４１には縫い針１及びメス７１を下方に挿通させる貫通穴が形成されている。
【００２９】
また、布押さえ枠４２は、後述する移動手段５０の支持アーム５１により昇降可能に支持され、押さえ上げソレノイド４４はかかる支持状態にある布押さえ枠４２に対して昇降動作の付与を行う。かかる押さえ上げソレノイド４４は、穴かがりミシン１０の使用者により入力操作が行われる押さえ上げ入力ペダル４４ｂ（図４参照）により、押さえ方向の駆動と解除方向の駆動との切り替えが行われる。
【００３０】
移動手段５０は、図２に示すように、その先端部において枠支持体４３を介して布押さえ枠４２を支持する支持アーム５１と、支持アーム５１の後端部と布保持板４１の後端部とを支持する支持体５２と、支持体５２を前後方向に移動させるための駆動源となるステッピングモータからなる送りモータ５３と、送りモータ５３の出力軸に設けられたピニオンギヤに噛合するラックが形成され、前後方向に駆動される駆動伝達軸５４と、ミシンアーム部２ａの上部において前後方向に沿った軸線を中心に揺動可能に支持されると共に針棒３４を上下動可能に支持する針棒支持体５５と、その先端部に設けられたアームを介して針棒支持体５５に揺動動作を付与する揺動駆動軸５６と、揺動駆動軸５６を任意の揺動角度で揺動駆動可能な図示しない周知の揺動駆動機構と針振りモータ５７（図４参照）とを備えている。
【００３１】
支持アーム５１は、その後端部において支持部材５２により左右方向の軸線を中心に回動自在に支持されており、これにより、前端部側の布押さえ枠４２を布保持板４１に対して昇降させて、布地の保持と解除を切り替えることを可能としている。
そして、支持アーム５１及び支持体５２を介して布押さえ枠４２及び布保持板４１はいずれも同じ移動量で前後方向に移動されて位置決めされる。また、針棒３４を支持する針棒支持体５５が揺動駆動軸５６を介して前後方向に沿った軸線を中心として揺動することで縫い針１の先端部は左右方向に移動されて位置決めされる。従って、布押さえ枠４２と布保持板４１とで保持される布地の平面上に対して縫い針１を任意の位置に針落ちさせることが可能である。
【００３２】
釜機構６０は、図２に示すように、縦胴部２ｃ内に配設され、上軸３１からベベルギヤを介してトルク伝達される縦軸６１と、ミシンベッド部２ｂ内に配設され、縦軸６１からベベルギヤを介してトルク伝達される下軸６２と、下軸６２の前端部において回転駆動される釜６３とを備えている。かかる釜６３は、縫い針１の上下動周期と同期して回転駆動され、縫い針１と釜６３との協働により布地に縫い目の形成を行う。なお、釜６３は、従来公知のものと同様であるので、その構造について詳述しない。
【００３３】
メス機構７０は、図２に示すように、布地にボタン穴を形成するメス７１と、メス７１をその下端部で保持すると共にミシンアーム部２ａの前端部において上下動可能に支持されたメス保持体７２と、メス保持体７２を常時上方に張力を付勢する図示しない引っ張りバネと、その駆動により引っ張りバネ（図示省略）に抗してメス保持体７２を下方に移動させるメス駆動ソレノイド７４とを備えている。
かかるメス機構７０では、後述する制御部１００の制御によりメス駆動ソレノイド７４がメス保持体７２を下方に駆動し、メス７１を布押さえ枠４２の内側領域に下降させ、保持されている布地にメス７１を突き通して布地を切り裂くようにボタン穴を形成する。
また、移動手段５０により布押さえ枠４２を前後方向に移動位置決めすることができるため、当該前後方向についてボタン穴形成位置の位置決めを行うことが可能となっている。
なお、穴かがりミシン１０において、布地に穴かがり縫い目を形成した後にボタン穴を形成することが一般的であるが、布地にボタン穴を形成した後に穴かがり縫い目を形成するようにしてもよい。
【００３４】
また、穴かがりミシン１０は、オペレータが縫製に必要な各種設定や操作を行う操作パネル２０を有している。図３は操作パネル２０の外観正面図である。
この操作パネル２０とミシン本体（制御部１００）とは、図示しない有線又は無線の回線により接続されている。図３に示すように、この操作パネル２０には、ミシンの各種設定、操作状態を表示する表示部２０ａを備えている。かかる表示部２０ａはいわゆるタッチパネルスイッチとなっており、表示される各種のキーやボタンによって後述する様々な設定入力が行われるとともに、各種設定値や設定条件等が表示されるようになっている。
【００３５】
操作パネル２０により設定される項目としては、例えば、ボタン穴の左右両側の平行部とボタン穴の上部の第一閂止め部とボタン穴の下部の第二閂止め部とから構成される穴かがり縫い目の形状（例えば、角型、丸型、放射角型、放射型、放射直線閂止め型、放射流れ閂止め型、鳩目角型、鳩目放射型、鳩目直線閂止め型、鳩目流れ閂止め型、半月型、丸角型、半月角型・・・など）や、その穴かがり縫い目とともに被縫製物に形成する刺繍に関する刺繍縫い目の形状などがある。
また、操作パネル２０により設定される主要な各パラメータは、例えば、穴かがり縫い目の形状に応じた穴かがり縫い目データに関する設定値や、穴かがり縫い目とともに被縫製物に形成する刺繍の刺繍縫い目の形状に応じた刺繍縫い目データに関する設定値や、ミシンスピード（ミシンモータ３２の回転数）や上糸張力等ミシンの動作に関する設定値などがある。
【００３６】
ここで、穴かがり縫い目データとは、ボタン穴に対する穴かがり縫いを行うための穴かがり縫い目の縫い目形状に関するデータをいう。
より具体的には、穴かがり縫い目データは、ボタン穴の左右両側の平行部と、角型、丸型、放射型、鳩目型、半月型、直線閂止め型、流れ閂止め型のいずれかを有する第一閂止め部と第二閂止め部とが組み合わされてなる縫い目形状を形成するための針落ち点や針落ち座標に関する針落ち位置データと、その針落ち位置データや穴かがり縫い目データ自体を調整するためのパラメータである、布切り長さ（メス幅；メス７１は交換可能であって現在装着されているメス７１の幅が入力される）、メス溝右幅、メス溝左幅、かがり幅、平行部ピッチ、第一閂止め長さ、第二閂止め長さ、閂止め部ピッチ、閂止め部とボタン穴とのスキマ幅等の縫い目調整データとを有する。
【００３７】
また、刺繍縫い目データとは、穴かがり縫い目とともに被縫製物に刺繍の縫製を施すための刺繍縫い目の縫い目形状に関するデータをいう。
より具体的には、刺繍縫い目データは、趣向性や装飾性を有する縫い目形状（例えば、星型、月型、花型などワンポイント模様の刺繍の形状）を形成するための針落ち点や針落ち座標に関する針落ち位置データと、穴かがり縫い目に対する刺繍縫い目のサイズや、穴かがり縫い目に対する刺繍縫い目の配置に関する設定データとを有する。
【００３８】
これら縫い目形状に関する設定値やパラメータなどは、ミシンの使用者が操作パネル２０において個別に設定し、かかる設定入力により作成された縫い目形状に応じた縫製パターンデータとして後述するＲＡＭ１０３又はＥＥＰＲＯＭ１０４などに記憶し登録することが可能である。また、予め各設定値やパラメータなどが設定されてなる既成の縫製パターンデータを外部機器や外部記憶装置を介してＲＡＭ１０３やＥＥＰＲＯＭ１０４に入力して登録してもよい。
なお、各種の縫製パターンデータとしては、穴かがり縫い目のみの縫製データや、穴かがり縫い目に刺繍縫い目が関連付けられてなる縫製データなどがあり、それら縫製パターンデータの登録時にそれぞれ縫製パターンＮｏ．が特定され、その縫製パターンＮｏ．とともに記憶される。そして、操作パネル２０において、その縫製パターンＮｏ．により所望する縫い目に関する縫製パターンデータや縫い目データの読み出しが行われる。
【００３９】
ここで、図３に示す操作パネル２０について説明する。
図３に示す操作パネル２０の表示部２０ａには、通常画面が表示されている。
この操作パネル２０の表示部に２０ａにおける通常画面には、パターンデータ選択ボタン２１、穴かがり縫い目形状選択ボタン２２、上糸張力設定ボタン２３、布切り長さ設定ボタン２４、左かがり幅設定ボタン２５、メス溝左幅設定ボタン２６ｌ、メス溝右幅設定ボタン２６ｒ、縫製データ変更ボタン２７、ワンポイント刺繍準備ボタン２８、準備ボタン２９等が表示されて備えられている。
【００４０】
パターンデータ選択ボタン２１は、所望する縫製パターンデータに対応つけられた縫製パターンＮｏ．を選択し、その縫製パターンＮｏ．に応じた縫製パターンデータに関する縫い目データを表示部２０ａに表示するためのボタンである。
穴かがり縫い目形状選択ボタン２２には、現在選択されている穴かがり縫い目形状（図中、角型の穴かがり縫い目形状）が表示されており、この穴かがり縫い目形状選択ボタン２２上に表示されている穴かがり縫い目データに関するパラメータ等の設定変更を行う際に押下するボタンである。この穴かがり縫い目形状選択ボタン２２が押下されると、穴かがり縫い目データに関するパラメータ等の設定変更を行う設定変更画面が表示されるようになっている。
上糸張力設定ボタン２３には、現在設定されている上糸張力値（図中、１２０）が表示されており、この上糸張力設定ボタン２３が押下されると、上糸張力値の設定変更を行う設定変更画面が表示されるようになっている。
布切り長さ設定ボタン２４には、現在設定されている布切り長さ（図中、６．４ｍｍ）が表示されており、この切り長さ設定ボタン２４が押下されると、布切り長さの設定変更を行う設定変更画面が表示されるようになっている。
左かがり幅設定ボタン２５には、現在設定されている左かがり幅（図中、１．７ｍｍ）が表示されており、この左かがり幅設定ボタン２５が押下されると、左かがり幅の設定変更を行う設定変更画面が表示されるようになっている。
メス溝左幅設定ボタン２６ｌには、現在設定されているメス溝左幅（図中、０．１ｍｍ）が表示されており、このメス溝左幅設定ボタン２６ｌが押下されると、メス溝左幅の設定変更を行う設定変更画面が表示されるようになっている。
メス溝右幅設定ボタン２６ｒには、現在設定されているメス溝右幅（図中、０．１ｍｍ）が表示されており、このメス溝左幅設定ボタン２６ｒが押下されると、メス溝右幅の設定変更を行う設定変更画面が表示されるようになっている。
縫製データ変更ボタン２７は、縫製データ一覧画面を表示するためのボタンであり、この縫製データ変更ボタン２７が押下されると、縫製データに関するより詳細なデータや設定値の変更を行う設定変更画面が表示されるようになっている。
ワンポイント刺繍準備ボタン２８は、現在選択されている穴かがり縫い目に対し、ワンポイント刺繍を施す刺繍縫い目データを選択し対応つける設定を行うためのボタンであり、このワンポイント刺繍準備ボタン２８が押下されると、穴かがり縫い目データに対して刺繍縫い目データを選択し対応つける設定画面が表示されるようになっている。
準備ボタン２９は、ミシンの縫製動作を実行するための縫製画面に移行するためのボタンであり、この準備ボタン２９が押下されると、縫製画面が表示されるようになっている。
【００４１】
次に、穴かがりミシン１０の制御部１００について説明する。
図４に示すように、この穴かがりミシン１０は、ミシンモータ３２、送りモータ５３、針振りモータ５７、メス駆動ソレノイド７４、押さえ上げソレノイド４４、押さえ上げ入力ペダル４４ｂ、操作パネル２０等に接続される制御部１００を有している。
制御部１００は、ミシンモータ３２の回転速度、送りモータ５３による布地の送り量、針振りモータ５７の駆動タイミング及び振り幅、メス７１の下降タイミング、布押さえ枠４２の昇降切り替え等を制御している。この制御部１００は、ＣＰＵ１０１，ＲＯＭ１０２，ＲＡＭ１０３，ＥＥＰＲＯＭ１０４及びＩ／Ｏインターフェース１０５を備えている。ＣＰＵ１０１には、バスを介して、ＲＯＭ１０２，ＲＡＭ１０３，ＥＥＰＲＯＭ１０４及びＩ／Ｏインターフェース１０５が接続される。
【００４２】
Ｉ／Ｏインターフェース１０５には、ミシンモータドライバ３２ａを介してミシンモータ３２が接続される。このミシンモータドライバ３２ａには、ミシンモータ５の回転数を検出するエンコーダ３２ｂが接続され、フィードバック制御が可能となっている。
さらに、ミシンモータドライバ３２ａには、縫い針１が上昇したことを検知する針上位置センサ３２ｃが接続される。これにより、縫い針１により縫い目が形成される際の縫い針数が、制御部１００によりカウントされるようになっている。
【００４３】
また、Ｉ／Ｏインターフェース１０５には、送りモータドライバ５３ａを介して送りモータ５３が接続される。また、Ｉ／Ｏインターフェース１０５には、針振りモータドライバ５７ａを介して針振りモータ５７が接続される。また、Ｉ／Ｏインターフェース１０５には、メス駆動回路７４ａを介してメス駆動ソレノイド７４が接続される。
さらに、Ｉ／Ｏインターフェース１０５には、押さえ上げ駆動回路４４ａを介して押さえ上げソレノイド４４が接続されると共に、Ｉ／Ｏインターフェース１０５には押さえ上げペダル４４ｂが接続される。
【００４４】
また、入力手段としてのＩ／Ｏインターフェース１０５には、パソコンなどの外部機器において作成された縫い目データ（特に、刺繍縫い目データ）を記憶する不揮発性のフラッシュメモリーなどからなる外部記憶装置２００が接続され、その外部記憶装置２００に記憶されている縫い目データが入力されるようになっている。
【００４５】
制御部１００は、ＲＯＭ１０２に記憶された各種のプログラムをＲＡＭ１０３のワークエリアを用いてＣＰＵ１０１が処理することで縫製パターンに関する縫い目データの設定入力を受け付けることや、その設定された縫い目データや縫い目データが組み合わされてなる縫製パターンデータに基づきミシン各部を制御して縫製を実行する。
なお、ＲＡＭ１０３やＥＥＰＲＯＭ１０４は縫い目データ記憶手段として機能し、穴かがり縫い目の形状に応じた穴かがり縫い目データや、刺繍縫い目の形状に応じた刺繍縫い目データや、穴かがり縫い目データと刺繍縫い目データとが関連付けられた縫製パターンデータなどを記憶している。
【００４６】
そして、制御部１００は、ＲＡＭ１０３やＥＥＰＲＯＭ１０４に記憶されている縫い目データにおける穴かがり縫い目データに基づきミシン各部を制御して、ボタン穴の周囲に穴かがり縫い目を形成する縫製制御手段として機能する。
特に、縫製制御手段としての制御部１００は、ＲＡＭ１０３やＥＥＰＲＯＭ１０４に記憶されている縫い目データにおける穴かがり縫い目データと刺繍縫い目データとに基づき、ボタン穴の周囲に穴かがり縫い目を形成するとともに、その穴かがり縫い目の近傍に刺繍縫い目を形成する機能を有する。また、縫製制御手段としての制御部１００は、ＲＡＭ１０３やＥＥＰＲＯＭ１０４に記憶されている穴かがり縫い目データと刺繍縫い目データとが対応つけられた縫製パターンデータに基づき、ボタン穴の周囲に形成する穴かがり縫い目と、その穴かがり縫い目の近傍に形成する刺繍縫い目を縫製する機能を有する。
【００４７】
また、制御部１００は、ＲＡＭ１０３やＥＥＰＲＯＭ１０４に記憶されている穴かがり縫い目データと刺繍縫い目データとを関連付けるとともに、穴かがり縫い目データに基づく穴かがり縫い目に対して、刺繍縫い目データに基づく刺繍縫い目のサイズを設定するサイズ設定手段の一部として機能する。
【００４８】
また、制御部１００は、ＲＡＭ１０３やＥＥＰＲＯＭ１０４に記憶されている穴かがり縫い目データと刺繍縫い目データとを関連付けるとともに、穴かがり縫い目データに基づく穴かがり縫い目に対して、刺繍縫い目データに基づく刺繍縫い目の配置を設定する配置設定手段の一部として機能する。
【００４９】
また、制御部１００は、Ｉ／Ｏインターフェース１０５に接続された外部記憶装置２００によって、Ｉ／Ｏインターフェース１０５を介して入力された縫い目データ（特に、刺繍縫い目データ）を、ＲＡＭ１０３やＥＥＰＲＯＭ１０４に記憶させる記憶制御手段として機能する。
【００５０】
次に、本実施の形態における穴かがりミシン１０において、穴かがり縫い目に対して刺繍縫い目を対応付ける設定処理動作について、図５に示すフローチャートに基づき説明する。
【００５１】
穴かがりミシン１０の操作パネル２０の表示部２０ａに、図３に示すような通常画面が表示されている状態において、制御部１００は、その表示部２０ａにおけるワンポイント刺繍準備ボタン２８が押下されたか否かを判断する（ステップＳ１０１）。
【００５２】
制御部１００が、ワンポイント刺繍準備ボタン２８が押下されたと判断すると（ステップＳ１０１；Ｙｅｓ）、制御部１００は、図６に示すような刺繍準備画面を操作パネル２０の表示部２０ａに表示する（ステップＳ１０２）。
なお、この刺繍準備画面には、縫い目データ表示領域２０ｂと、刺繍入力ボタン１１や初期画面キー１２が表示され、備えられている。図６に示す刺繍準備画面における縫い目データ表示領域２０ｂには、縫製パターンＮｏ．１に応じた縫製パターンデータにおける穴かがり縫い目データが示す角型の穴かがり縫い目形状が表示されている。
【００５３】
次いで、制御部１００は、刺繍入力ボタン１１が押下されたか否かを判断する（ステップＳ１０３）。
制御部１００が、刺繍入力ボタン１１が押下されたと判断すると（ステップＳ１０３；Ｙｅｓ）、ステップＳ１０５へ進む。
一方、制御部１００が、刺繍入力ボタン１１は押下されていないと判断すると（ステップＳ１０３；Ｎｏ）、制御部１００は、初期画面キー１２が押下されたか否かを判断する（ステップＳ１０４）。
制御部１００が、初期画面キー１２が押下されたと判断すると（ステップＳ１０４；Ｙｅｓ）、ステップＳ１０１に戻り、表示部２０ａには通常画面が表示される。
一方、制御部１００が、初期画面キー１２は押下されていないと判断すると（ステップＳ１０４；Ｎｏ）、ステップＳ１０２に戻り、表示部２０ａには刺繍準備画面が表示される。
【００５４】
ステップＳ１０５において、制御部１００は、図７に示すような刺繍模様選択画面を操作パネル２０の表示部２０ａに表示する（ステップＳ１０５）。
なお、この刺繍模様選択画面には、刺繍模様キー表示領域２０ｃが表示されており、この刺繍模様キー表示領域２０ｃには、刺繍模様キー１３（星型刺繍模様キー１３ａ、三角型刺繍模様キー１３ｂ、月型刺繍模様キー１３ｃ）と、キャンセルキー１４と、確定キー１５が表示され、備えられている。
【００５５】
次いで、制御部１００は、刺繍模様キー１３が押下されたか否かを判断する（ステップＳ１０６）。
制御部１００が、刺繍模様キー１３が押下され、確定キー１５が押下されたと判断すると（ステップＳ１０６；Ｙｅｓ）、ステップＳ１０８へ進む。
一方、制御部１００が、刺繍模様キー１３は押下されていないと判断すると（ステップＳ１０６；Ｎｏ）、制御部１００は、キャンセルキー１４が押下されたか否かを判断する（ステップＳ１０７）。
制御部１００が、キャンセルキー１４が押下されたと判断すると（ステップＳ１０７；Ｙｅｓ）、ステップＳ１０２に戻り、表示部２０ａには刺繍準備画面が表示される。
一方、制御部１００が、キャンセルキー１４は押下されていないと判断すると（ステップＳ１０７；Ｎｏ）、ステップＳ１０５に戻り、表示部２０ａには刺繍模様選択画面が表示される。
【００５６】
ステップＳ１０８において、制御部１００は、図８に示すような刺繍模様設定画面を操作パネル２０の表示部２０ａに表示する（ステップＳ１０８）。なお、この刺繍模様設定画面は、図７に示す刺繍模様選択画面における星型刺繍模様キー１３ａが押下されたことに基づく画面である。
この刺繍模様設定画面には、刺繍模様設定領域２０ｄが表示されており、この刺繍模様設定領域２０ｄには、縫製パターンＮｏ．１に応じた縫製パターンデータにおける穴かがり縫い目データが示す角型の穴かがり縫い目形状と、刺繍模様選択画面において選択された星型刺繍模様に応じた刺繍縫い目データが示す星型の刺繍縫い目形状が表示されているとともに、キャンセルキー１４と、確定キー１５と、穴かがり縫い目に対する刺繍縫い目形状の縦方向のサイズを設定する縦方向サイズ設定キー１６と、穴かがり縫い目に対する刺繍縫い目形状の横方向のサイズを設定する横方向サイズ設定キー１７と、穴かがり縫い目に対する刺繍縫い目の縦方向の配置を設定する縦方向配置設定キー１８と、穴かがり縫い目に対する刺繍縫い目の横方向の配置を設定する横方向配置設定キー１９とが表示され、備えられている。
この操作パネル２０における縦方向サイズ設定キー１６と横方向サイズ設定キー１７はサイズ設定手段の一部として機能し、操作パネル２０における縦方向配置設定キー１８と横方向配置設定キー１９は配置設定手段の一部として機能する。
なお、図中、縦方向サイズ設定キー１６によって刺繍縫い目の縦方向サイズは１０ｍｍ、横方向サイズ設定キー１７によって刺繍縫い目の横方向サイズは１０ｍｍ、縦方向配置設定キー１８によって刺繍縫い目の縦方向配置は８ｍｍ、横方向配置設定キー１９によって刺繍縫い目の横方向配置は５ｍｍに、それぞれ設定されて表示されている。
【００５７】
そして、制御部１００は、オペレータによる刺繍模様設定画面の刺繍模様設定領域２０ｄにおける各設定キー（１６，１７，１８，１９）の操作入力や設定入力を受け付け、刺繍模様のサイズや配置など刺繍縫い目に関する設定が行われる（ステップＳ１０９）。
【００５８】
次いで、制御部１００は、キャンセルキー１４が押下されたか否かを判断する（ステップＳ１１０）。
制御部１００が、キャンセルキー１４が押下されたと判断すると（ステップＳ１１０；Ｙｅｓ）、ステップＳ１０５に戻り、表示部２０ａには刺繍模様選択画面が表示される。
一方、制御部１００が、キャンセルキー１４は押下されていないと判断すると（ステップＳ１１０；Ｎｏ）、制御部１００は、確定キー１５が押下されたか否かを判断する（ステップＳ１１１）。
制御部１００が、確定キー１５が押下されたと判断すると（ステップＳ１１１；Ｙｅｓ）、ステップＳ１１２へ進む。
一方、制御部１００が、確定キー１５は押下されていないと判断すると（ステップＳ１１１；Ｎｏ）、ステップＳ１０８に戻り、表示部２０ａには刺繍模様設定画面が表示される。
【００５９】
ステップＳ１１２において、制御部１００は、図９に示すような刺繍準備画面を操作パネル２０の表示部２０ａに表示する（ステップＳ１１２）。
なお、この刺繍準備画面には、縫い目データ表示領域２０ｂと、刺繍入力ボタン１１、初期画面キー１２、星型刺繍模様キー１３ａ、準備ボタン２９が表示され、備えられている。図９に示す刺繍準備画面における縫い目データ表示領域２０ｂには、縫製パターンＮｏ．１に応じた縫製パターンデータにおける穴かがり縫い目データが示す角型の穴かがり縫い目形状と、選択されて設定された星型刺繍模様に応じた刺繍縫い目データが示す星型の刺繍縫い目形状とが表示されている。
【００６０】
次いで、制御部１００は、初期画面キー１２が押下されたか否かを判断する（ステップＳ１１３）。
制御部１００が、初期画面キー１２が押下されたと判断すると（ステップＳ１１３；Ｙｅｓ）、ステップＳ１０１に戻り、表示部２０ａには通常画面が表示される。
一方、制御部１００が、初期画面キー１２は押下されていないと判断すると（ステップＳ１１３；Ｎｏ）、制御部１００は、準備ボタン２９が押下されたか否かを判断する（ステップＳ１１４）。
制御部１００が、準備ボタン２９は押下されていないと判断すると（ステップＳ１１４；Ｎｏ）、ステップＳ１１２に戻り、表示部２０ａには刺繍準備画面が表示される。
一方、制御部１００が、準備ボタン２９が押下されたと判断すると（ステップＳ１１４Ｙｅｓ）、制御部１００は、現在選択されている縫製パターンＮｏ．１における角型の穴かがり縫い目データに対して選択設定された星型の刺繍縫い目データが関連付けられ、角型の穴かがり縫い目に星型の刺繍縫い目が対応つけられた縫製パターンデータをＥＥＰＲＯＭ１０４に記憶して登録する（ステップＳ１１５）。なお、ここで、角型の穴かがり縫い目に星型の刺繍縫い目が対応つけられた縫製パターンデータを登録する際、その縫製パターンデータに縫製パターンＮｏ．１を付与してもよく、また新たな縫製パターンＮｏ．を付与するようにしてもよい。
【００６１】
次いで、制御部１００は、その登録した縫製パターンデータ（ここでは角型の穴かがり縫い目に星型の刺繍縫い目が対応つけられた縫製パターンデータ）に関する縫製画面を操作パネル２０の表示部２０ａに表示する（ステップＳ１１６）。
そして、その縫製画面において、オペレータによる所定の操作が行われることによって、穴かがりミシン１０は、この縫製パターンデータに基づいて、角型の穴かがり縫い目の縫製を行うとともに、その穴かがり縫い目に対応つけられた星型の刺繍縫い目の縫製を行い、ミシンの動作を終了する。
【００６２】
なお、この場合、例えば、図１０に示すような、刺繍縫い目縫製領域４２ｂが穴かがり縫い目縫製領域４２ａと一体または別々に形成された布押さえ枠４２を、枠支持体４３に取り付ける。なお、図１０において仮想線で示した４２１と、４２２は、それぞれ選択・編集設定された穴かがり縫い目と、刺繍縫い目である。
また、この布押さえ枠４２の穴かがり縫い目縫製領域４２ａや刺繍縫い目縫製領域４２ｂに対応するように、布保持板４１に図示しない開口部が形成されている。なお、布押さえ枠４２の穴かがり縫い目縫製領域４２ａに対する刺繍縫い目縫製領域４２ｂの形成位置や広さは、移動手段５０と針駆動手段３０とにより縫い目の形成が可能な範囲であれば、任意の配置、大きさでよいので、様々な形状・大きさを有する布押さえ枠４２を各種用意することで、様々な縫い目形成に対応することができるものである。
【００６３】
このように、本発明に係る穴かがりミシン１０は、ボタン穴の周囲に形成する穴かがり縫い目に対し、その被縫製物に装飾性を付与する刺繍縫い目を対応つけることができる。
そして、穴かがりミシン１０は、被縫製物に穴かがり縫い目を形成する際に、その穴かがり縫い目の近傍に刺繍縫い目を形成することができる。つまり、穴かがりミシン１０は、被縫製物に装飾性を付与する刺繍縫い目を穴かがり縫い目とともに形成することができる。
【００６４】
特に、穴かがりミシン１０は、ボタン穴の周囲に穴かがり縫い目を形成するとともに、その穴かがり縫い目の近傍に刺繍縫い目を形成するように、穴かがり縫い目の形成と刺繍縫い目の形成を一連の縫製動作として行うことができるので、刺繍縫い目を形成するために、穴かがりミシンに保持されている被縫製物の位置を穴かがり縫い目の形成後に調整したり、穴かがり縫い目を形成した被縫製物を刺繍ミシンにセットしたりする必要がない。
従って、穴かがりミシン１０によって、穴かがり縫い目と刺繍縫い目を容易に形成することができる。
【００６５】
そして、穴かがりミシン１０により、穴かがり縫い目の近傍に装飾性を有する刺繍縫い目を形成することによって、ボタン穴にボタンが掛けられた状態でも、そのボタンに隠されることなく刺繍縫い目を視認することが可能になるので、その刺繍縫い目によって被縫製物に装飾性を付与することができ、被縫製物のボタン穴周囲におけるデザイン性のバリエーションを広げることができるようになる。
また、穴かがりミシン１０において、穴かがり縫い目に対する刺繍縫い目のサイズや配置位置を調整することによって、同じ刺繍縫い目の形状であっても、その刺繍縫い目により異なる装飾性を被縫製物に付与することができるので、被縫製物のボタン穴周囲におけるデザイン性のバリエーションを広げることができる。
【００６６】
なお、図７に示す刺繍模様選択画面において、複数の刺繍模様キー１３を押下して選択することによって、１つの穴かがり縫い目に対して複数の刺繍縫い目を関連つけて対応付けることができる。
例えば、図７に示す刺繍模様選択画面において、星型刺繍模様キー１３ａ、三角型刺繍模様キー１３ｂ、月型刺繍模様キー１３ｃが押下されて選択されるとともに、刺繍模様設定画面において、各刺繍縫い目に関する設定が行われると、操作パネル２０の表示部２０ａに、図１１に示すような刺繍準備画面が表示される。
図１１に示す刺繍準備画面には、縫い目データ表示領域２０ｂと、刺繍入力ボタン１１、初期画面キー１２、星型刺繍模様キー１３ａ、三角型刺繍模様キー１３ｂ、月型刺繍模様キー１３ｃ、準備ボタン２９が表示され、備えられている。この刺繍準備画面における縫い目データ表示領域２０ｂには、縫製パターンＮｏ．１に応じた縫製パターンデータにおける穴かがり縫い目データが示す角型の穴かがり縫い目形状と、選択されて設定された星型刺繍模様に応じた刺繍縫い目データが示す星型の刺繍縫い目形状と、三角型刺繍模様に応じた刺繍縫い目データが示す三角型の刺繍縫い目形状と、月型刺繍模様に応じた刺繍縫い目データが示す月型の刺繍縫い目形状とが表示されている。
そして、準備ボタン２９が押下されるなどして、この図１１に示す刺繍準備画面に対応する縫製パターンデータに基づく縫製が行われると、角型の穴かがり縫い目とともに、その穴かがり縫い目に対応つけられた星型、三角型、月型の刺繍縫い目が形成される縫製が行われる。
【００６７】
このように、穴かがりミシン１０は、１つの穴かがり縫い目に対して複数の刺繍縫い目を形成することができる。１つの穴かがり縫い目の近傍に複数の刺繍縫い目を形成することによって、穴かがり縫い目の周囲に、より効果的に装飾性を付与することができる。
【００６８】
なお、以上の実施の形態においては、刺繍縫い目の形状を星型、三角型、月型を例に説明したが、本発明はこれに限定されるものではなく、穴かがりミシン１０は任意の刺繍縫い目を形成することができ、その刺繍縫い目に関する刺繍縫い目データは、操作パネル２０において作成したり、外部機器において作成したものをＩ／Ｏインターフェース１０５を介して入力したりするようにすればよい。
また、穴かがり縫い目の形状や、その穴かがり縫い目に対する刺繍縫い目のサイズや配置、また刺繍縫い目の数は、本実施形態に限られず、任意に設定することができる。
【００６９】
また、以上の実施の形態においては、パソコンなどの外部機器において作成された縫い目データ（特に、刺繍縫い目データ）を記憶する外部記憶装置２００を、Ｉ／Ｏインターフェース１０５に接続するようにして、新たな縫い目データを入力するようにしたが、本発明はこれに限定されるものではなく、外部機器とＩ／Ｏインターフェース１０５とを有線又は無線の回線で接続し、外部機器において作成された縫い目データをＩ／Ｏインターフェース１０５に直接入力するようにしてもよい。
【００７０】
また、刺繍縫い目は、穴かがり縫い目から離間した位置にワンポイント刺繍縫い目として形成することに限らず、刺繍縫い目を穴かがり縫い目に接するように形成することにより、その刺繍縫い目によって穴かがり縫い目の周縁部の形状を変形させるようにしてもよい。
【００７１】
また、その他、具体的な細部構造等についても適宜に変更可能であることは勿論である。
【図面の簡単な説明】
【００７２】
【図１】本発明にかかる穴かがりミシンを示す外観斜視図である。
【図２】本発明にかかる穴かがりミシンの内部構造を示す概略斜視図である。
【図３】操作パネルを示す外観正面図である。
【図４】本発明にかかる穴かがりミシンの制御部を示すブロック図である。
【図５】穴かがりミシンにおいて穴かがり縫い目に対して刺繍縫い目を対応付ける設定処理を示すフローチャートである。
【図６】操作パネルの表示部の表示例を示す説明図である。
【図７】操作パネルの表示部の表示例を示す説明図である。
【図８】操作パネルの表示部の表示例を示す説明図である。
【図９】操作パネルの表示部の表示例を示す説明図である。
【図１０】布押さえ枠を示す斜視図である。
【図１１】操作パネルの表示部の表示例を示す説明図である。
【符号の説明】
【００７３】
１      縫い針
２      ミシンフレーム
１０    穴かがりミシン
２０    操作パネル（サイズ設定手段、配置設定手段）
１６    縦方向サイズ設定キー
１７    横方向サイズ設定キー
１８    縦方向配置設定キー
１９    横方向配置設定キー
２０ａ  表示部
３０    針駆動手段
３２    ミシンモータ
３４    針棒
４０    布押さえ手段
４１    布保持板
４２    布押さえ枠
４４    押さえ上げソレノイド
４４ｂ  押さえ上げ入力ペダル
５０    移動手段
５３    送りモータ
５７    針振りモータ
７０    メス機構（布切り手段）
７１    メス
１００  制御部（縫製制御手段、サイズ設定手段、配置設定手段、記憶制御手段）
１０１  ＣＰＵ
１０２  ＲＯＭ
１０３  ＲＡＭ（縫い目データ記憶手段）
１０４  ＥＥＰＲＯＭ（縫い目データ記憶手段）
１０５  Ｉ／Ｏインターフェース（入力手段）
２００  外部記憶装置
【図１】
2006326019.tif 000003
【図２】
2006326019.tif 000004
【図３】
2006326019.tif 000005
【図４】
2006326019.tif 000006
【図５】
2006326019.tif 000007
【図６】
2006326019.tif 000008
【図７】
2006326019.tif 000009
【図８】
2006326019.tif 000010
【図９】
2006326019.tif 000011
【図１０】
2006326019.tif 000012
【図１１】
2006326019.tif 000013